(57)【要約】検査空間に挿入される被検体の恐怖感や閉塞感を緩和し、検査空間内での被検体の快適性を向上する。被検体を挿入する筒状の検査空間を有する検査装置の検査空間内壁１４０に、被検体に対し視覚的効果を与える意匠を形成する。意匠は、複数の要素１５０またはオブジェクトを含み、要素間の間隔またはオブジェクト間の間隔は、検査空間の長手方向の間隔Ｐ及び／又は周方向の間隔Ｗが、被検体の挿入側から奥側に向かって変化している。要素は、例えば、ドット、ライン等の幾何学的模様であり、オブジェクトは自然を模した模様である。
2013046906.tif 000002
【特許請求の範囲】
【請求項１】
被検体を挿入する検査空間を有する検査装置であって、
前記検査空間に面する内壁に、前記被検体に対し視覚的効果を与える意匠が形成されているものであり、
前記意匠は、複数の要素またはオブジェクトを含み、
前記要素間の間隔または前記オブジェクト間の間隔は、前記検査空間の長手方向の間隔及び／又は周方向の間隔が、前記被検体の挿入口側から奥側に向かって変化していることを特徴とする検査装置。
【請求項２】
請求項１に記載の検査装置であって、
前記要素またはオブジェクトの、前記検査空間における長手方向の間隔は、前記挿入口側で狭く、奥側で広いことを特徴とする検査装置。
【請求項３】
請求項２に記載の検査装置であって、
前記要素またはオブジェクトの、前記検査空間における長手方向の間隔は、前記検査空間の挿入口から所定距離離れた位置から見たときに、遠近法によりほぼ同間隔に見える視覚効果を与えることを特徴とする検査装置。
【請求項４】
請求項１に記載の検査装置であって、
前記意匠を構成する複数の要素は、前記検査空間の長手方向に配列する少なくとも２列のドットであり、前記ドット列の、前記検査空間における周方向の間隔が、前記検査空間の挿入口側で広く、奥側に向かって狭まることを特徴とする検査装置。
【請求項５】
請求項４に記載の検査装置であって、
前記ドット列の周方向の間隔は、前記検査空間の長手方向に沿って放物線状に変化することを特徴とする検査装置。
【請求項６】
請求項４に記載の検査装置であって、
前記ドットは、大きさが前記検査空間の挿入口側から奥側に向かって変化していることを特徴とする検査装置。
【請求項７】
請求項１に記載の検査装置であって、
前記意匠を構成する複数の要素は、前記検査空間の周方向に沿って描画されたラインであり、前記ラインの幅が、前記検査空間の挿入口側で広く、奥側に向かって狭まることを特徴とする検査装置。
【請求項８】
請求項７に記載の検査装置であって、
前記ラインは、色の濃淡が変化するグラデーション部を有することを特徴する検査装置。
【請求項９】
請求項１に記載の検査装置であって、
前記意匠を構成するオブジェクトは、背景内に配置され、前記背景には、前記検査空間の長手方向及び／又は周方向について、濃淡が変化するグラデーションが設けられていることを特徴とする検査装置。
【請求項１０】
被検体を挿入する検査空間を有する検査装置であって、
前記検査空間に面する内壁に、前記被検体に対し視覚的効果を与える光学部材が設けられているものであり、
前記光学部材は、前記内壁に施された模様の虚像を生じさせる光学要素を含むことを特徴とする検査装置。
【請求項１１】
請求項１ないし１０のいずれか一項に記載の検査装置であって、
当該検査装置が、ＭＲＩ装置、ＣＴ装置およびＰＥＴ装置のいずれかであることを特徴とする検査装置。
【発明の詳細な説明】
【技術分野】
【０００１】
この発明は、ＭＲＩ装置、Ｘ線ＣＴ装置、ＰＥＴ装置等の、トンネル状など被検体を挿入する検査空間を持つ検査装置に関し、特に検査空間の快適性を向上させた検査装置に関する。
【背景技術】
【０００２】
ＭＲＩ装置やＸ線ＣＴ装置などの画像診断装置は、その検査の特性上、被検体をトンネル状の検査空間に寝かせた状態で検査するタイプのものが広く使用されている。検査空間の広さや奥行きは、検査装置によって異なるが、例えば、水平磁場方式のＭＲＩ装置では、均一な静磁場空間の直径は約４００ｍｍであり、典型的な検査空間の大きさは、直径約５００〜６５０ｍｍ、奥行き１６００〜１８００ｍｍ程度である。漏洩磁場を低減するためには奥行きは長いほど好ましい。ＣＴ装置は、ＭＲＩ装置に比べ、奥行きは短いが、近年、Ｘ線検出器の2次元化に伴い、奥行きは長くなる傾向にある。【０００３】
全身撮影や頭胸部撮影の場合には、被検体の頭部を含む上半身を検査空間に挿入する必要があり、検査空間内に寝かせられた被検体が閉塞感や圧迫感を感じるという問題がある。この問題は、閉所恐怖症の患者の場合には特に深刻であり、閉塞された検査空間に挿入されることに対し強い忌避があり、最悪の場合には検査自体が困難になる。【０００４】
この問題について、従来、装置の性能を阻害しない範囲で検査空間の形状を工夫して、できるだけ幅を広げる、断面の形状を楕円形にする、トンネルの入り口付近に丸みを持たせて、閉塞感を緩和する形状にする、などが提案されている（特許文献１、２など）。
【先行技術文献】
【特許文献】
【０００５】
【特許文献１】特開２０１０−２４００３９号公報
【特許文献２】特開２００５−１８５３８７号公報
【発明の概要】
【発明が解決しようとする課題】
【０００６】
物理的に検査空間の大きさを大きくすることで、ある程度閉塞感を緩和することは可能であるが、検査装置の大きさには装置の機能上の制約がある。例えば、ＭＲＩ装置では、検査空間の大きさは静磁場を発生する静磁場磁石、一般には超電導磁石のボア径とその内側に配置される傾斜磁場の厚み等の制限を受ける。またＣＴ装置では、Ｘ線管とＸ線検出器との距離とＸ線検出器の大きさで決まるＸ線照射範囲やコリメータの厚み等の制限を受ける。【０００７】
また従来の検査装置は、清潔感や明るさを意図して、白や薄いパステル調の色彩が施されており、検査空間内も同様の淡色一色である。従って、上記制限の範囲で空間の広さを異ならせても、被検体が受ける感覚には大きな差異のある効果は得られていない。
そこで本発明は、検査空間に挿入される被検体の恐怖感や閉塞感を緩和し、検査空間内での被検体の快適性を向上する。
【課題を解決するための手段】
【０００８】
本発明は、検査装置の検査空間内に、空間に広がりを感じさせる視覚的意匠を施すことにより上記課題を解決する。また本発明は、検査装置の検査空間の奥行きを短く感じさせる視覚的意匠を施すことにより、閉塞された空間に挿入される被検体の恐怖感等を緩和する。【０００９】
即ち、本発明の検査装置は、被検体を挿入する筒状の検査空間を有する検査装置であって、前記検査空間に面する内壁に、前記被検体に対し視覚的効果を与える意匠が形成されているものであり、前記意匠は、複数の要素またはオブジェクトを含み、前記要素間の間隔または前記オブジェクト間の間隔は、前記検査空間の長手方向の間隔及び／又は周方向の間隔が、前記被検体の挿入口側から奥側に向かって変化している。
なお本明細書では、検査空間の長短に拘わらず、被検体が挿入される方向に沿った方向を検査空間の長手方向或いは奥行き方向という。【００１０】
複数の要素は、例えば、ドット、ライン等の幾何学的模様であり、前記オブジェクトは自然を模した模様である。
本発明の検査装置において、好適には、要素間又はオブジェクト間の間隔は、周方向の間隔が検査空間の挿入口側で最も広く、奥側（内部）に行くに従って狭まる。【００１１】
本発明の検査装置において、好適には、要素間又はオブジェクト間の間隔は、検査空間の長手方向（奥行き方向）の間隔が検査装置の挿入口側で最も狭く、奥に行くに従って広がる。
本発明は、例えば、ＭＲＩ装置、ＣＴ装置及びＰＥＴ装置に適用することができる。
【発明の効果】
【００１２】
本発明によれば、検査装置の検査空間に面する内壁に、検査空間を広く感じさせ、或いは検査空間を短く感じさせる意匠を施したことにより、検査空間に挿入される被検体の緊張感を緩和し、検査空間の内部における圧迫感や閉塞感を低減することができる。
【図面の簡単な説明】
【００１３】
【図１】本発明が適用される検査装置（ＭＲＩ装置）の一実施形態の外観を示す斜視図。
【図２】図１の検査装置の正面図。
【図３】図１の検査装置の側面図。
【図４】図１の検査装置のガントリー内部の構成を示すブロック図。
【図５】本発明の第一実施形態による検査空間を構成する内壁の意匠を示す図で、（ａ）は検査空間の断面図、（ｂ）は内壁（内カバー）の一部を展開した図。
【図６】第一実施形態におけるドットの検査空間長手方向の間隔（ピッチ）を説明する図で、（ａ）〜（ｃ）はそれぞれ被検体の条件を異ならせた場合を示す。
【図７】本発明の第二実施形態による検査空間を構成する内壁の意匠を示す図で、（ａ）は検査空間の断面図、（ｂ）は内壁（内カバー）の一部を展開した図。
【図８】本発明の第三実施形態による検査空間を構成する内壁の意匠を示す図で、（ａ）は検査空間の断面図、（ｂ）は内壁（内カバー）の一部を展開した図。
【図９】本発明の第四実施形態の内壁の要部の断面図。
【発明を実施するための最良の形態】
【００１４】
以下、本発明の実施の形態を、図面を参照して説明する。本実施形態では、検査装置がＭＲＩ装置である場合を説明するが、本発明はトンネル状の検査空間を持つ検査装置、例えばＣＴ装置やＰＥＴ装置でも同様に適用できる。【００１５】
図１は、本実施形態のＭＲＩ装置の全体を示す外観図、図２は正面図、図３は側面図である。図示するように、このＭＲＩ装置は、ガントリー部１００とベッド部２００とを備えている。【００１６】
ベッド部２００は、被検体を寝かせるための天板部２１０と、天板部２１０を昇降させる昇降機構２２０と、台車２３０とを備え、台車２３０の四隅には走行車輪２３１が取り付けられており、ガンドリー部１００から独立して移動することができる。ベッド部２００は、台車２３０の端部及びガントリー部１００の前面に形成された連結部３００によりガンドリー部１００に連結される。連結時には、天板部２１０の下面の高さが、後述する検査空間の高さとほぼ同じ高さになるように、昇降機構２２０によって調整される。【００１７】
ガントリー部１００は、大きく逆Ｕ字型に湾曲した側面カバー１２０と、正面パネル１１０と、裏面パネル（不図示）と、側面カバー１２０と正面パネル１１０及び裏面パネルとをそれぞれ連結する曲面カバー１３０と、正面パネル１１０及び裏面パネルのほぼ中央に形成された開口部１１１を連結する内カバー１４０とを備えている。側面カバー１２０は、床面に接する端部から上側に向かって垂直に延び、その高さ方向の中央で半円形に湾曲し、ガントリー部１００の上面を形成している。【００１８】
正面パネル１１０及び裏面パネルは、ほぼ同じ形状を有しているので、以下、代表して正面パネル１１０の形状について説明する。正面パネル１１０の外周の形状は、側面カバー１２０の端面を正面側から見た形状と相似形で大きさは小さく、中央に略円形の開口部１１１が形成されている。正面パネル１１０の外周は、曲面カバー１３０によって側面カバー１２０に連結されている。ガントリー１００を図３に示すように側面から見た場合、正面パネル１１０と曲面カバー１３０との連結部１１３が最も外側に位置し、正面パネル１１０は、連結部１１３から開口部１１１に向かって凹んだ形状になっている。この凹面形状によって、操作者の作業空間を広げている。【００１９】
正面パネル１１０は、開口部１１１の周囲に、検査空間の長手方向に平行な断面で見たとき丸み１１１ａ（図２）が形成されており、内カバー１４０に連続している。内カバー１４０は、断面が円形或いは楕円等の変形した円形の円筒状であり、円筒で囲まれる空間が、被検体が挿入される検査空間（ボア）となる。検査空間の、開口部１１１側の端部を挿入口或いは入口と呼ぶ。また検査空間の、挿入口から内部に向かう方向を奥行き方向或いは長手方向と呼ぶ。【００２０】
以上説明した、正面パネル１１０及び裏面パネル、側面カバー１２０、曲面カバー１３０及び内カバー１４０によって構成されるガントリー部の内部の機構は、従来のＭＲＩ装置と同様である。ＭＲＩ装置の概略構成を図４に示す。【００２１】
このＭＲＩ装置は、ガントリー部１００に収納される要素として、超電導磁石等の検査空間に均一な磁場を形成する静磁場発生磁石２と、静磁場発生磁石２が形成する磁場内に配置される傾斜磁場コイル９と、被検体１に対し高周波磁場を照射するためのＲＦ送信コイル１４ａと、被検体１から発生するＮＭＲ信号を受信するＲＦ受信コイル１４ｂとを備えている。ＲＦ受信コイル１４ｂは、通常は被検体の検査部位に近接するように配置される。ＲＦ送信コイル１４ａがＲＦ受信コイル１４ａを兼ねる場合もある。【００２２】
これらコイル類を駆動するための駆動系と信号処理系７は、ガントリー部１００の外側に設置される。具体的には、ＲＦ送信コイル１４ａは、高周波発振器１１、変調器１２、高周波増幅器１３などの送信系５に接続されている。傾斜磁場コイル９は、Ｘ、Ｙ、Ｚの３軸方向の傾斜磁場コイルからなり、それぞれ、傾斜磁場電源１０に接続されている。ＲＦ受信コイル１４ｂは、増幅器１５、直交位相検波器１６、Ａ/Ｄ変換器１７などからなる受信系６に接続されている。これら送信系５、傾斜磁場発生系３及び受信系６の動作は、シーケンサ４によって制御され、撮影方法によって決まる所定のパルスシーケンスに従い、ＲＦパルスや傾斜磁場パルスの照射、ＮＭＲ信号の受信が行われる。【００２３】
信号処理系７は、ＣＰＵ８とディスプレイ２０や光ディスク１９、磁気ディスク１８等の外部記憶装置などからなり、ＣＰＵ８はシーケンサ４を通して、上述した駆動系の動作を制御するとともに、受信系６が受信したＮＭＲ信号を処理し、被検体の画像やスペクトルを再構成し、ディスプレイ２０に表示する。ディスプレイ２０は、信号処理系の結果である画像等を表示するとともに、制御のＧＵＩを表示する。なおディスプレイは、検査室外に置かれるほかに、ガントリー部１００の表面カバーにも設置され、画像や操作者が検査に必要な情報を入出力するためのＧＵＩとして機能する。【００２４】
本実施形態の検査装置は、ガンドリー部１００の内カバー１４０に特殊な視覚効果を与える意匠が施されていることが特徴である。以下、意匠の各実施形態を説明する。【００２５】
＜第一実施形態＞
本実施形態は、内カバー１４０の表面に複数のドット状の模様（以下、ドットという）を形成したものであり、ドットの周方向の間隔及長手方向の間隔を、内カバーの長手方向（奥行き方向）に沿って変化させていることが特徴である。【００２６】
検査空間（内カバー１４０）の断面形状と、検査空間の上面側となる内カバーの部分を展開した図を図５（ａ）、（ｂ）に示す。図５（ａ）に示すように、本実施形態の内カバー１４０の断面形状は、楕円形の一部を平坦にした形状を有している。平坦な部分１４１はベッド部２００の天板２１０が走行する走行面であり、図５（ｂ）は、平坦部１４１を除く楕円形部分１４２を展開した図である。被検体（不図示）は、通常、天板２１０に仰向けに寝かせられた状態で、内カバー１４０で覆われた検査空間に挿入される。内カバー１４０の断面形状が楕円形であることにより、体格の異なる(横幅の異なる)種々の被検体に対応できるようになっている。【００２７】
天板に寝かせられた状態の被検体の視点の平均的な位置を、図５（ａ）中、Ｅで示している。人の左右の視野角θはほぼ１３５度であり、天板２１０に仰向けに寝かせられた被検体は、内カバー１４０の上面のほぼ１３５度の範囲を見ることになる。上面の、視点Ｅから１３５度の位置の内側に、図５（ｂ）に示すように、２列のドット１５０が描画されている。ドットの形状は、図では四角形であるが、特に限定されず、円形、三角形、星型など任意の形状にすることができる。またドットの大きさは、描画されていることが明確に認識できる大きさであれば特に限定されるものではない。【００２８】
２列のドット１５０は、周方向（左右方向）のドット間の間隔Ｗが入口（正面パネルの開口側）で最も広く、裏面パネル側に向かって狭まるように配置されている。入口から挿入される被検体の目には、奥行き方向への移動に伴い、左右のドットの間隔が狭まっていくことにより、遠近感の錯覚が起り、あたかもドットが遠のいていく、つまり上側に向かっていくように感じられる。つまり、視点Ｅから内カバー上面までの物理的な距離は変化しないにも拘わらず、被検体には内カバー上面が高くなるような錯覚を被検体に与えることができる。これにより、閉塞感を緩和することができる。【００２９】
左右のドット１５０間の間隔Ｗは、視野の範囲内で変化すればよいが、本実施形態では入口付近で視野の角度θに近く、検査空間のほぼ中央付近で左右の眼の間隔に近づくように設計されている。検査空間の中央部より裏面パネル側は等間隔としてもよい。通常、被検体が最も奥深く挿入されるのは、頭部検査の場合であり、その場合、被検体の頭部がほぼ検査空間の中央付近に位置するようにするからである。また左右のドットの間隔の変化は直線的でもよいが、本実施形態では入口から検査空間の奥行き方向中央までを放物線に沿って変化させている。放物線に沿って変化させることにより、入口に近いほど変化の度合いが大きく、奥行き方向に進むに従い変化の度合いが小さくなる。これにより挿入時に最も効果的に遠近感の錯覚を与えることができ、被検体の安心感を高めることができる。【００３０】
また本実施形態では、左右一対のドット１５０の奥行き方向の間隔（配列ピッチ）Ｐが、入口付近では狭く、奥行き方向に沿って広がっている。このドットの配置によって、検査空間を外側から見た場合に、ドットのピッチＰが実際には内部に行くに従い広がっているにも拘わらず、ほぼ同ピッチに見えるので、検査空間の奥行き方向の長さが実際よりも短く見える視覚効果を与える。ドットの奥行き方向の配列ピッチＰをほぼ同間隔に見せるためのピッチＰの変化のさせ方は、被検体の目の高さ（天板からの垂直方向の高さ）、目の位置から検査空間の入口までの距離及び検査空間の長さによっても異なるが、奥行き方向の１列に並ぶドットの数をＮとし、目の位置から検査空間の入口までの距離を１００としたとき、入り口から１番目のドットまでの距離が１０〜２０％、Ｎ−１番目のドットからＮ番目のドットまでの距離が２５％以上、具体的には２５％〜４０％の範囲とすることが好ましい。【００３１】
ドットの配列ピッチＰ（奥行き方向）を検査対象（被検体）別に検討した結果を図６に示す。図６（ａ）〜（ｂ）において、それぞれ、右側の図は、図５（ａ）と同じ、検査空間の長手方向と直交する方向の断面であり、左側の図は検査空間の長手方向に沿った側断面である。図６（ａ）は、被検体の視点Ｅが検査空間の中心と同じ高さにあり、視点Ｅから入口までの距離が６００ｍｍの場合、（ｂ）は被検体の視点Ｅの高さが検査空間の中心の高さより低く、視点Ｅから入口までの距離が８００ｍｍの場合、（ｃ）は被検体の視点Ｅの高さが検査空間の中心の高さより高く、視点Ｅから入口までの距離が１０００ｍｍの場合である。なお、ここで入口とは、内カバーの径が一定である円筒部の被検体挿入側の端部を指している。図６に示す検査空間の側断面図上で、視点Ｅから検査空間（円筒）の上部両端をそれぞれ直線で結び、これら２本の直線の間に、等角度間隔で［ドット数−１］の直線を引き、これら直線と円筒が交わる点を奥行き方向のドットの位置とする。図５に示すようにドットが周方向に一対形成される場合には、直線と円筒が交わる点を中心にして、その両側にドットを配置する。左右のドットの間隔Ｗは上述したとおり、奥行き方向の位置によって変化する、つまり内部に行くほど狭くする。【００３２】
図６（ａ）に示す例では、Ｎ−１番目（ここでは１０番目）のドットとＮ番目（１１番目）のドットとの間隔は、１番目のドットと２番目のドットとの間隔の約６．７倍である。図６（ｂ）に示す例では、Ｎ−１番目のドットとＮ番目のドットとの間隔は１番目のドットと２番目のドットの間隔の約４．８倍である。図６（ｃ）に示す例では、Ｎ−１番目のドットとＮ番目のドットとの間隔は、１番目のドットと２番目のドットの間隔の約４倍である。これらの結果からもわかるように、視点から入口までの距離が短いほど、変化の度合いを大きくすることにより、ドットの間隔を同じ間隔に見せる効果が得られる。従って、実際の適用に際しては、平均的な被検体の身長を考慮してドットを配置する、或いはドットの配置に応じて、検査空間に挿入する前の被検体位置（視点の位置）を決めるようにすることが好ましい。【００３３】
このようにドットの奥行き方向の位置を決定した場合、検査空間に挿入される前の被検体の視点Ｅから検査空間を見た場合、ドットはほぼ同じピッチで並んでいるように見え、実際の奥行きよりも短く見える。これにより長い検査空間に挿入されるという被検体の恐怖感を和らげることができる。【００３４】
以上説明したように本実施形態の検査装置は、ガントリー部の内カバーに、被検体に対し視覚的効果をもたらすドットを配置している。ドットの配置の一つの特徴は、ドットを被検体の左右方向に少なくとも一対配置し、その左右のドットの間隔を検査空間の奥行き方向に沿って狭めるというものである。これにより、検査空間に挿入されるときに、検査空間が上方に向かって広がるように感じる視覚効果を与えることができる。ドットの配置のもう一つの特徴は、ドットの奥行き方向の間隔（配列ピッチ）を奥行き方向に沿って広げるというものである。この配置によって、検査空間に入る前にベッド部２００に寝かせられた被検体に対し、検査空間の奥行きが実際よりも短く感じる視覚効果を与えることができる。【００３５】
なお、図５に示す実施例では、ドットを左右方向に２列配列した場合を示したが、ドットの列数は２列に限らず、３列或いはそれ以上であってもよい。また図５に示す例では、ドットの大きさは全て同じにしているが、ドットの大きさを例えば検査空間の入口側では大きく、中側に向かって小さくするなど、異ならせてもよい。【００３６】
また、第一実施形態では、上述した二つの特徴をいずれも有するドットの配置例を説明したが、いずれか一方のみの特徴を備える場合も本発明に含まれる。即ち、ドットの奥行き方向の間隔は一定として、一対のドットの周方向の間隔を検査空間の奥行き方向に沿って狭めてもよいし、一対のドットの周方向の間隔は一定とし、奥行き方向の間隔を奥に行くに従って広げるようにしてもよい。いずれの場合にもそれぞれの特徴による視覚効果を得ることができる。【００３７】
＜第二実施形態＞
本実施形態は、内カバー１４０の表面に、検査空間を構成する円筒部の円周に沿って複数のライン状の模様（以下、ラインという）を形成したものであり、ライン間の間隔及びラインの太さを内カバーの長手方向に沿って変化させていること、及び、ラインの色調を周方向で変化させていることが特徴である。【００３８】
内カバー１４０の断面形状と上面側の部分を展開した図を図７（ａ）、（ｂ）に示す。図７（ａ）は、図５（ａ）と同様であるので説明を省略し、図７（ｂ）に示されたライン１６０について詳述する。ライン１６０の特徴の一つは、図７（ｂ）で示す両端から中央に向かって明度が高くなっている点である。図７（ｂ）の模様を検査空間の平坦部より上の曲面部分に施した場合、検査空間に寝かせられた被検体には、上記階調の変化は、両側では色が濃く上に行くに従って薄くなる色の変化として視認され、被検体に上側が広がっているような感覚を与える。ラインの色は、背景の色（淡色）よりも明度の低い色であれば、青、黒、緑、茶など適宜選択することができ、また複数の色を組み合わせてもよい。【００３９】
ライン１６０のもう一つの特徴は、その幅ｄが検査空間の奥行き方向に向かって細くなっている点である。被検体が仰向けに寝かせられた状態で検査空間内を移動させられるとき、ラインの幅ｄが徐々に狭まることによって、第一の実施形態においてドット間の間隔Ｗが奥行き方向に向かって狭まる場合と同様に、遠近感の錯覚が起り、被検体にはラインが遠のき、上昇していくような錯覚を覚え、検査空間の天井が高くなるように感じられる。これにより、閉塞感を緩和することができる。【００４０】
ラインの幅ｄを変化させる範囲は、検査空間の入口から、被検体の頭部が配置される最も深い部分即ち検査空間のほぼ中央付近まででよい。中央から裏面パネルの入口までは、ライン幅を同じにしてもよいし、同様の変化度合いで変化させてもよい。【００４１】
ライン幅の変化のさせ方は、特に限定されるものではないが、入口に最も近いライン（１番目のライン）の幅に対し、最も幅の狭いラインの幅を５０％〜７５％程度とする。図７に示す例では、１番目のラインの幅３０ｍｍに対し、放物線状即ち二次関数（ａ−ｂｘ2，ｘは入口からの距離）に従ってライン幅を変化させており、検査空間のほぼ中央で２２ｍｍ（１番目のラインの７３．３％）となっている。【００４２】
また本実施形態の内カバーにおいても、ラインとラインとの配列ピッチＰが検査空間の奥行き方向に向かって広くなるように設計されている。これは、第一実施形態と同様に、検査空間を外側から見たときに、実際の奥行きよりも短く感じさせる視覚効果を与える。つまり、ベッド部に寝かせられた被検体が、検査空間の入口から数１０ｃｍ離れたところから見たときに、ラインの間隔がほぼ同等に見えるように配列ピッチＰが決められている。このような配列ピッチＰの変化のさせ方は、第一実施形態のドットの配列ピッチＰについて図６を用いて説明した場合と同様である。ただし、本実施形態ではラインの幅ｄが変化していくので、ライン間の間隔は、全てのラインについて、ライン幅の入口側の端部を基準に決定する。【００４３】
本実施形態においても、第一実施形態と同様に、検査空間内を移動させられるときに、検査空間が広がるように感じる視覚効果と、検査空間に入る前に検査空間の奥行きが実際よりも短く感じる視覚効果を与えることができる。【００４４】
なお本実施形態では、奥行き方向に配置されたラインに、周方向のグラデーションを与える、ラインの幅ｄを奥行き方向に向かって狭める、ラインのピッチを奥行き方向に向かって広げる、という３つの特徴を有する場合を説明したが、これら特徴の一つのみ或いは任意の二つの組合せのみを備える場合も本発明に含まれる。即ち、ラインの幅及びピッチの一方又は両方を一定として、周方向のグラデーションを与えてもよい。またグラデーションはないが、ラインの幅を奥行き方向に向かって狭める或いはラインのピッチを奥行き方向に向かって広げてもよいし、グラデーションはないが、ラインの幅及びピッチの両方を奥行き方向に向かって変化させてもよい。いずれの場合にもそれぞれの特徴による視覚効果を得ることができる。【００４５】
＜第三実施形態＞
第一実施形態及び第二実施形態では、被検体に視覚効果を与える模様として、内カバー１４０に幾何学的な模様を施した場合を説明したが、具象的な模様（オブジェクト）、例えば空（雲の配置、星空）や海（砂浜、海底等）や植物（木や花びら）、さらには小児を対象としてアニメーションのキャラクターなどの模様を設けることも可能である。これらの模様を、第一実施形態や第二実施形態と同様に遠近感を錯覚させる配置で配置することにより、同様の効果を得ることができる。【００４６】
雲の配置の一例を図８に示す。図８（ａ）は、図５（ａ）及び図７（ａ）と同じく検査空間の断面と被検体の視点Ｅとの関係を示す図であり説明を省略する。【００４７】
図８（ｂ）に示すように、本実施形態のガンドリーは、内カバー１４０の表面に雲１７０を配置した空の模様が施されている。空の部分は青色を基調とし、検査空間に寝かせられた被検体が対面する上面が濃く、両側に向かって淡色になるように階調が設けられている。この色の変化は、第二実施形態のラインの階調の変化とは逆であるが、自然の空の色が地上に近くなるにつれて淡く白色に近づくのを模して、本実施形態では上述の構成とし、それによって被検体に上面が高いと感じさせる効果を得ている。【００４８】
雲１７０の配置の基本的な考え方は、第一実施形態と同じであるが、自然の空を模すために、大きさの異なる雲をある程度ランダムに配置し、しかも点在する雲の周方向に間隔が入口では広く、検査空間の奥行き方向に沿って狭まるように、雲が配置されている。また雲は上面から両側に向かって鮮明度を低くしている。このような模様が施された検査空間内を移動させられる被検体は、空を見上げているような開放感を感じると共に、奥行き方向への移動に伴い上面（空）が高くなるような感覚を覚え、閉塞感が軽減される。また両側の雲の鮮明度が低くなっているため、視野の両側の領域（ぼんやりと見えている領域）の圧迫感が低減される。【００４９】
本実施形態では、雲の奥行き方向の間隔はランダムであり、第一実施形態及び第二実施形態で採用している奥行き方向の配列ピッチを変化させる構成は採用していないが、検査空間の手前に寝かせられた被検体には、検査空間内に空の模様が施されていることにより、無彩色或いは淡色の検査空間に挿入される場合に比べ、抵抗感を少なくすることができる。【００５０】
なお本実施形態では、背景となる色に自然を模したグラデーションを与える、背景に配置されるオブジェクトの密度を奥行き方向に向かって変化させる、オグジェクトの鮮明度を周方向で変化させる、という３つの特徴を備える場合を説明したが、これら特徴の一つのみ或いは任意の二つの組合せのみを備える場合にも本発明に含まれ、いずれの場合にもそれぞれの特徴による視覚効果を得ることができる。【００５１】
以上、本発明の検査装置のガントリー表面に施される意匠の実施形態を説明したが、次にこれら意匠を施す手法について簡単に説明する。【００５２】
一般に内カバーを含むガントリーは、ＦＲＰ等のプラスチック材料で形成されている。このような素材に上述した模様を施す方法としては、プラスチック材料の表面に公知の印刷方法を用いた印刷、転写材料を用いた転写、或いは印刷や転写等で模様を施した紙やフィルムを内カバーの外側に貼着或いは固定する方法などを採用することができる。特に、可撓性のあるプラスチック製の薄板を着脱可能に固定するようにした場合には、模様が異なる種々の薄板を用意しておき、被検体の年齢（子供か大人か）や体格などに応じて適宜選択した意匠を備えた薄板を内カバーに固定するようにしてもよい。【００５３】
＜第四実施形態＞
以上説明した第一〜第三実施形態は、内ガントリー１４０の表面即ち検査空間を構成する面に、平面的な（平滑な）意匠を施したものであるが、本実施形態では、光学フィルムを用いたことを特徴とする。一般に凸レンズの焦点の内側に物を置いた場合、その物より遠くに物の拡大された像（虚像）が見えることは良く知られている。本実施形態はその物理現象を利用する。このため光学フィルムとして、表面に非常に細かい凸レンズが多数形成された光学フィルムを用いる。内カバーの表面に細かいドット等の模様を形成し、それに密着して、この凸レンズが形成された光学フィルムを積層する。【００５４】
図９に、光学フィルム１８０と内カバーに形成された模様１９０との関係を示す。図示するように内カバー１４０の表面には、多数のドット状の模様１９０が形成されている。ドットの形状は、任意であるが、大きさは光学フィルムに形成されている凸レンズの幅よりも小さいほうがよい。一方、光学フィルム１８０の表面には、このドットの配置とほぼ対応する配置で凸レンズ１８１が形成されており、光学フィルムの厚みは、形成された凸レンズの表面から焦点Ｆまでの距離より薄い。即ち焦点位置は光学フィルムの外側にある。このような光学フィルム１８０の凸レンズ１８１が形成されている面と反対側の面を内カバー１４０の表面即ちドット模様１９０が形成された面に密着するように固定する。固定方法は接着剤を利用した貼着であってもよいし、単に密着するように端部を固定してもよい。【００５５】
内カバー１４０の表面側（検査空間の内壁側）からドット１９０を見た場合、ドット１９０と凸レンズ１８１中心との距離が焦点距離よりも短いため、その虚像１９５が実際のドット１９０の位置よりも凸レンズ１８１から離れた位置に見えることになる。内カバーに設けられたドット全体の虚像からなる模様が、内カバーよりも遠い位置に見えるので、被検体には検査空間が半径方向に大幅に広がって見えることになる。【００５６】
一例として、凸レンズの大きさを０．１ｍｍ（焦点距離５ｍｍ）、光学フィルムの厚み（凸レンズが形成されていない部分の厚み）を４ｍｍ、及びドットの大きさを０．０５ｍｍとした場合、虚像は実際のドットが形成されている位置から約２０ｍｍ離れて見える。このことは検査空間が半径方向に約２０ｍｍ広がって見えることを意味する。光学フィルムの厚みの分、検査空間の半径は４ｍｍ程度狭まるが、これは虚像によって広がって見える距離に対し十分に小さい。【００５７】
本実施形態によれば、実際の模様の位置よりも離れた位置に虚像を生じさせる光学フィルムを用いることにより、検査空間を大幅に広げて見せることができ、検査空間内に寝かせられた被検体の閉塞感を緩和することができる。【００５８】
以上、本発明のＭＲＩ装置のガントリーに設けられる意匠の各実施形態を説明したが、図面や説明で示した形状やサイズは一例であり、適宜変更することが可能である。またこれら実施形態を適宜組み合わせることも可能である。【００５９】
以上の第一〜第四の実施形態では検査空間の断面が楕円状となっている例を示したが、これに限らず、円状であっても良いしその他形状であっても同様の効果を奏することは云うまでも無い。
【産業上の利用可能性】
【００６０】
本発明によれば、ガントリー、特に被検体が挿入される検査空間を覆う内カバーの表面に、検査空間を広く見せる視覚効果や検査空間の奥行きを短く見せる視覚効果を持つ意匠を施すことにより、検査を受ける被検体の閉塞感や圧迫感を緩和することができる。本発明は、トンネル状（筒状）の検査空間を持つ検査装置に特に有効であるが、検査空間が上下或いは左右の面で挟まれた構造を持つオープン型の検査装置にも適用することができる。
【符号の説明】
【００６１】
１００・・・ガントリー部、１１０・・・正面パネル、１２０・・・側面カバー、１３０・・・曲面カバー、１４０・・・内カバー（検査空間内壁）、１４１・・・平坦部、１４２・・・楕円形部分、１５０・・・ドット、１６０・・・ライン、１７０・・・雲の模様（オブジェクト）、１８０・・・光学フィルム、１８１・・・凸レンズ、１９０・・・ドット、２００・・・ベッド部、２１０・・・天板部、２２０・・・昇降機構、２３０・・・台車。
【図１】
2013046906.tif 000003
【図２】
2013046906.tif 000004
【図３】
2013046906.tif 000005
【図４】
2013046906.tif 000006
【図５】
2013046906.tif 000007
【図６】
2013046906.tif 000008
【図７】
2013046906.tif 000009
【図８】
2013046906.tif 000010
【図９】
2013046906.tif 000011
【手続補正書】
【提出日】平成26年9月5日(2014.9.5)
【手続補正１】
【補正対象書類名】特許請求の範囲
【補正対象項目名】全文
【補正方法】変更
【補正の内容】
【特許請求の範囲】
【請求項１】
被検体を挿入する検査空間を有する検査装置であって、
前記検査空間に面する内壁に、意匠が形成されているものであり、
前記意匠は、複数の要素またはオブジェクトを含み、
前記要素またはオブジェクトの、前記検査空間における長手方向の間隔は、前記挿入口側で狭く、奥側で広いことを特徴とする検査装置。
【請求項２】
請求項１に記載の検査装置であって、
前記要素またはオブジェクトの、前記検査空間における長手方向の間隔は、前記検査空間の挿入口から所定距離離れた位置から見たときに、遠近法によりほぼ同間隔に見える視覚効果を与えることを特徴とする検査装置。
【請求項３】
被検体を挿入する検査空間を有する検査装置であって、
前記検査空間に面する内壁に、意匠が形成されているものであり、
前記意匠は、複数の要素を含み、
前記意匠を構成する複数の要素は、前記検査空間の長手方向に配列する少なくとも２列のドットであり、前記ドット列の、前記検査空間における周方向の間隔が、前記検査空間の挿入口側で広く、奥側に向かって狭まることを特徴とする検査装置。
【請求項４】
請求項３に記載の検査装置であって、
前記ドット列の周方向の間隔は、前記検査空間の長手方向に沿って放物線状に変化することを特徴とする検査装置。
【請求項５】
請求項３に記載の検査装置であって、
前記ドットは、大きさが前記検査空間の挿入口側から奥側に向かって変化していることを特徴とする検査装置。
【請求項６】
請求項３に記載の検査装置であって、
前記ドット列の、前記検査空間における長手方向の間隔は、前記挿入口側で狭く、奥側で広いことを特徴とする検査装置。
【請求項７】
被検体を挿入する検査空間を有する検査装置であって、
前記検査空間に面する内壁に、意匠が形成されているものであり、
前記意匠は、複数の要素を含み、
前記意匠を構成する複数の要素は、前記検査空間の周方向に沿って描画されたラインであり、前記ラインの幅が、前記検査空間の挿入口側で広く、奥側に向かって狭まることを特徴とする検査装置。
【請求項８】
請求項７に記載の検査装置であって、
前記ラインは、色の濃淡が変化するグラデーション部を有することを特徴する検査装置。
【請求項９】
請求項７に記載の検査装置であって、
前記ラインの、前記検査空間における長手方向の間隔が、前記挿入口側で狭く、奥側で広いことを特徴とする検査装置。
【請求項１０】
被検体を挿入する検査空間を有する検査装置であって、
前記検査空間に面する内壁に、意匠が形成されているものであり、
前記意匠は、複数のオブジェクトを含み、
前記意匠を構成するオブジェクトは、背景内に配置され、前記背景には、前記検査空間の周方向について、前記検査空間の上面が濃く、両側に向かって淡色となるように濃淡が変化するグラデーションが設けられていることを特徴とする検査装置。
【請求項１１】
請求項１０に記載の検査装置であって、
前記オブジェクトの鮮明度を、前記検査空間の上面から両側に向かって低くしていることを特徴とする検査装置。
【請求項１２】
請求項１ないし１１のいずれか一項に記載の検査装置であって、
当該検査装置が、ＭＲＩ装置、ＣＴ装置およびＰＥＴ装置のいずれかであることを特徴とする検査装置。
【手続補正２】
【補正対象書類名】明細書
【補正対象項目名】００４０
【補正方法】変更
【補正の内容】
【００４０】
ラインの幅ｄを変化させる範囲は、検査空間の入口から、被検体の頭部が配置される最も深い部分即ち検査空間のほぼ中央付近まででよい。中央から裏面パネルの入口までは、ライン幅を同じにしてもよいし、同様の変化度合いで変化させてもよい。
【手続補正３】
【補正対象書類名】明細書
【補正対象項目名】００４８
【補正方法】変更
【補正の内容】
【００４８】
雲１７０の配置の基本的な考え方は、第一実施形態と同じであるが、自然の空を模すために、大きさの異なる雲をある程度ランダムに配置し、しかも点在する雲の周方向の間隔が入口では広く、検査空間の奥行き方向に沿って狭まるように、雲が配置されている。また雲は上面から両側に向かって鮮明度を低くしている。このような模様が施された検査空間内を移動させられる被検体は、空を見上げているような開放感を感じると共に、奥行き方向への移動に伴い上面（空）が高くなるような感覚を覚え、閉塞感が軽減される。また両側の雲の鮮明度が低くなっているため、視野の両側の領域（ぼんやりと見えている領域）の圧迫感が低減される。
【国際調査報告】
2013046906.tif 000012
2013046906.tif 000013
2013046906.tif 000014
2013046906.tif 000015